(57)【要約】【課題】  手差しおよびカセットによる給紙が可能でかつ装置の小型化が可能な記録装置の提供。【解決手段】  カバー２を開くと記録紙挿入口１８が露出し、記録紙ガイド板１５に記録紙６１を載置し、記録紙６１の先端を記録紙挿入口１８に挿入する。これが手差しモードである。カバー２をさらに所定角度開き、そこに形成される空間に記録紙カセット５１の先端を取り付ける。記録紙カセット５１から記録紙６１が記録紙挿入口１８に挿入される。これが記録紙カセットモードである。したがって、手差しモードの場合は記録紙カセット５１が不要となるため、記録装置１の小型化によるデザインの向上と、設置場所の制約を緩和することが可能となる。【選択図】      図２
2008007232.tif 000002
【特許請求の範囲】
【請求項１】
手差しによる給紙および記録紙カセットによる給紙を行う記録装置であって、
前記記録紙カセットを手差し給紙用の記録紙挿入口上に着脱自在に取り付ける給紙手段を含むことを特徴とする記録装置。
【請求項２】
前記給紙手段は、手差し用の記録紙トレイユニットと、記録紙給紙部と、記録紙カセットとを含み、
前記記録紙トレイユニットは回動自在のカバーを含み、
前記記録紙給紙部は、前記カバーの一方の端部を前記記録紙給紙部の記録紙挿入口を望む位置に回動自在に取り付ける第１の取り付け軸と、前記カバーを開いて露出した前記記録紙挿入口上に前記記録紙カセットの一方の端部を取り付ける第２の取り付け軸とを含むことを特徴とする請求項１記載の記録装置。
【請求項３】
前記記録紙給紙部は、前記カバーの回動を制止する突起を含むことを特徴とする請求項２記載の記録装置。
【請求項４】
前記カバーは加圧により容易に変形する樹脂材で構成されることを特徴とする請求項２または３記載の記録装置。
【請求項５】
前記給紙手段は、手差し用の記録紙トレイユニットと、記録紙給紙部と、記録紙カセットとを含み、
前記記録紙トレイユニットは回動自在のカバーを含み、
前記記録紙給紙部は、ベースと、前記ベースを回動自在に取り付ける第３の取り付け軸と、前記ベースと前記カバーとを回動自在に取り付ける第４の取り付け軸と、前記カバーを開いて露出した前記記録紙挿入口上に前記記録紙カセットの一方の端部を取り付ける第５の取り付け軸とを含むことを特徴とする請求項１記載の記録装置。
【請求項６】
手差しによる給紙および記録紙カセットによる給紙を行う記録装置に用いられる給紙機構であって、
前記記録紙カセットを手差し給紙用の記録紙挿入口上に着脱自在に取り付ける給紙手段を含むことを特徴とする給紙機構。
【請求項７】
前記給紙手段は、手差し用の記録紙トレイユニットと、記録紙給紙部と、記録紙カセットとを含み、
前記記録紙トレイユニットは回動自在のカバーを含み、
前記記録紙給紙部は、前記カバーの一方の端部を前記記録紙給紙部の記録紙挿入口を望む位置に回動自在に取り付ける第１の取り付け軸と、前記カバーを開いて露出した前記記録紙挿入口上に前記記録紙カセットの一方の端部を取り付ける第２の取り付け軸とを含むことを特徴とする請求項６記載の給紙機構。
【請求項８】
前記記録紙給紙部は、前記カバーの回動を制止する突起を含むことを特徴とする請求項７記載の給紙機構。
【請求項９】
前記カバーは加圧により容易に変形する樹脂材で構成されることを特徴とする請求項７または８記載の給紙機構。
【請求項１０】
前記給紙手段は、手差し用の記録紙トレイユニットと、記録紙給紙部と、記録紙カセットとを含み、
前記記録紙トレイユニットは回動自在のカバーを含み、
前記記録紙給紙部は、ベースと、前記ベースを回動自在に取り付ける第３の取り付け軸と、前記ベースと前記カバーとを回動自在に取り付ける第４の取り付け軸と、前記カバーを開いて露出した前記記録紙挿入口上に前記記録紙カセットの一方の端部を取り付ける第５の取り付け軸とを含むことを特徴とする請求項６記載の給紙機構。
【発明の詳細な説明】
【技術分野】
【０００１】
本発明は、記録装置およびその給紙機構に関し、特に手差しおよび記録紙カセットによる給紙が可能なファクシミリ等の記録装置およびその給紙機構に関する。
【背景技術】
【０００２】
手差しおよび記録紙カセットによる給紙が可能なファクシミリ等の記録装置は公知である。
【０００３】
従来のこの種の記録装置の一例として、記録紙カセットが本体に着脱自在な電子装置と、記録紙カセットを採用しないで装置本体に備える記録紙（ロールペーパー）を用いる電子装置とが開示されている（特許文献１参照）。
【０００４】
また、他の一例として、記録紙カセットを装着する装置が開示されている（特許文献２参照）。
【０００５】
また、原稿用と記録紙用の２種類の給紙トレイを設け、原稿用トレイの角度を可変させて、給紙ローラを共通化し、部品点数を削減させる装置が開示されている（特許文献３参照）。
【０００６】
また、給紙カセットの搬送路と手差しトレイの搬送路とを合流させた装置が開示されている（特許文献４参照）。
【０００７】
【特許文献１】実開平０５−０６００１７号公報（段落００１４，００１６、００１７、図１および図３）
【特許文献２】特開２００２−０８７６８４号公報（段落００１４，００１６，００１８および図５）
【特許文献３】特開平０７−２６７４１３号公報（段落００１３および図１）
【特許文献４】特開平１０−００１２４０号公報（段落０００９、００１０、００１２および図１）
【発明の開示】
【発明が解決しようとする課題】
【０００８】
しかし、従来の記録紙カセットを装備したファクシミリ等の記録装置は、記録紙の安定した保管のために、記録紙が折れ曲がらないサイズの記録紙カセットが必要であった。そのため、装置容積が大きくなり、設置場所の制約が生じるという課題があった。
【０００９】
また、装置のデザインの自由度が小さく、デザインによる差別化が困難という課題もあった。
【００１０】
一方、特許文献１開示の発明において、着脱自在の記録紙カセットを備える装置と、装置本体に備える記録紙（ロールペーパー）を用いる装置とはそれぞれ別個の装置であり、この両者を一つの電子装置に備える構成は全く開示されていない。しかも、本発明において、この記録紙（ロールペーパー）に対応するのは手差し用のトレイユニットであり、両者は用途および構成が全く異なる物品である。
【００１１】
また、特許文献２開示の発明において、本発明と共通するのは単に記録紙カセットが設けられているということだけであり、本発明の特徴的構成は全く開示されていない。なお、特許文献２開示の発明の目的は原稿トレイの結合部の形状提案による操作性の改善にあり、その目的、構成および効果のいずれもが本発明と全く相違する。
【００１２】
また、特許文献３開示の発明には手差し用のトレイユニットは全く開示されておらず、したがって手差し用のトレイユニットと記録紙カセットとを切り替えて用いる本発明の特徴的構成も全く開示されていない。また、２種類の給紙トレイが開示されているものの、いずれの給紙トレイも装置に固定されており、本発明に示すような着脱自在の給紙トレイは全く開示されていない。
【００１３】
また、特許文献４開示の発明は、給紙カセットの搬送路と手差しトレイの搬送路とを一体的に設けることにより、部品点数の削減を図るものであり、その目的が本発明と全く相違する。
【００１４】
また、給紙カセットは挿脱自在に装着されるとの記載がある。しかし、この給紙カセットは本体内部に格納される構造となっており、給紙カセットを本体から抜き取っても本体の大きさは給紙カセット挿入時と変わらない。したがって、給紙カセットを使用しない場合は装置の小型化が図れるという本発明特有の効果を奏し得ない。すなわち、特許文献４開示の発明は本発明とは、その目的、構成、効果のいずれもが全く相違する。
【００１５】
したがって、特許文献１〜４開示の発明によっても上記課題を解決することは困難である。
【００１６】
そこで本発明の目的は、手差しおよびカセットによる給紙が可能でかつ装置の小型化が可能な記録装置およびその給紙機構を提供することを目的とする。
【課題を解決するための手段】
【００１７】
前記課題を解決するために本発明による記録装置は、手差しによる給紙および記録紙カセットによる給紙を行う記録装置であって、前記記録紙カセットを手差し給紙用の記録紙挿入口上に着脱自在に取り付ける給紙手段を含むことを特徴とする。
【００１８】
また、本発明による給紙機構は、手差しによる給紙および記録紙カセットによる給紙を行う記録装置に用いられる給紙機構であって、前記記録紙カセットを手差し給紙用の記録紙挿入口上に着脱自在に取り付ける給紙手段を含むことを特徴とする。
【００１９】
ここで本発明の作用を述べる。記録装置本体の後部に給紙装置が設けられ、給紙装置の記録紙給紙部には開閉自在のカバーが設けられる。このカバーを記録紙給紙部に設けられた突起に当接するまで開くと記録紙挿入口が露出する。この記録紙挿入口に記録紙を挿入することにより手差しで記録紙を供給することが可能となる。
【００２０】
一方、この状態からカバーをさらに開くと、カバーが変形し突起を乗り越え記録紙給紙部の壁部に当接する。そして、ここに形成された空間に記録紙カセットを挿入することにより、複数枚の記録紙を給紙装置に順次供給することが可能となる。
【発明の効果】
【００２１】
本発明によれば、上記構成を含むことにより、手差しおよびカセットによる給紙が可能でかつ装置の小型化が可能となる。
【００２２】
すなわち本発明では、印刷の頻度が高く、常時複数枚の記録紙をセットしたい場合は、記録紙の保管性に優れた記録紙カセットを装着し、印刷したい時だけ記録紙をセットする場合は、記録紙トレイユニットを使用する。このように本発明によれば、二通りの記録紙セット方法が可能になるとともに、記録紙カセットを使用しない場合は、記録装置の小型化によるデザインの向上と、設置場所の制約を緩和することが可能となる。
【発明を実施するための最良の形態】
【００２３】
以下、本発明の実施例について添付図面を参照しながら説明する。
【００２４】
本発明では記録装置の一例として、ファクシミリ装置について説明するがこれに限定されるものではなく、たとえば、印刷装置や複写装置等の記録装置に適用することが可能である。
【００２５】
本発明に係る記録装置は３種の動作モード、一例として待機モード、手差しモードおよび記録紙カセットモードの３種の動作モードを備えている。
【００２６】
図１は本発明に係る記録装置の待機モードの一例を示す外観斜視図、図２は本発明に係る記録装置の手差しモードの一例を示す外観斜視図、図３は本発明に係る記録装置の記録紙カセットモードの一例を示す外観斜視図である。
【００２７】
まず、図１を参照して記録装置の待機モードについて説明する。同図を参照すると、本発明に係る記録装置１は、装置本体１１と、給紙装置２１とを含んで構成される。
【００２８】
装置本体１１は送信先選択用のプッシュボタン１２と、表示部１３と、送受話器１４等を含んでいる。なお、装置本体１１の構成は従来のものと同様であるためこれ以上の説明は省略する。
【００２９】
一方、同図に示す給紙装置２１には後述するカバー２のみが表示されている。同図ではカバー２が閉じられており、この状態では給紙を行うことはできない。ファクシミリの受信待機状態である。
【００３０】
次に、図２を参照して記録装置の手差しモードについて説明する。同図を参照すると、カバー２が所定角度開かれている。そして、記録紙ガイド板１５が左右に開かれており、解除レバー１７がセットされている。
【００３１】
カバー２を開くと記録紙挿入口１８が露出し、記録紙ガイド板１５に記録紙を載置し、記録紙挿入口１８に記録紙の先端を挿入することが可能となる。手差しモードでは記録紙を１枚ずつ手で挿入する。
【００３２】
次に、図３を参照して記録装置の記録紙カセットモードについて説明する。同図を参照すると、カバー２がさらに所定角度開かれている。そして、そこに形成される空間に記録紙カセット５１の先端が挿入される。
【００３３】
なお、本発明ではカット状の記録紙を用いる。また、記録紙カセット５１には複数枚の記録紙が予め格納されており、１枚ずつ自動的に給紙されるよう構成されている。
【００３４】
次に、給紙装置２１の構成の一例について説明する。図４は給紙装置２１の一例の縦断面図である。なお、同図において図１〜図３と同様の構成部分には同一番号を付し、その説明を省略する。
【００３５】
図４を参照すると、給紙装置２１は記録紙トレイユニット３１と、記録紙給紙部４１と、記録紙カセット５１（不図示）とを含んで構成される。
【００３６】
記録紙トレイユニット３１は、カバー２と、解除レバー１７と、記録紙ガイド板１５と、支持板１６とを含んで構成される。
【００３７】
記録紙給紙部４１は、記録紙保持板４２と、押圧バネ４３と、記録紙搬送ローラ４４と、記録紙トレイユニット３１の取り付け軸４５と、後述する記録紙カセット５１（不図示）の取り付け軸４６と、カバー２の回動位置決め用の突起４７と、記録デバイス４８と、記録紙誘導板４９とを含んで構成される。
【００３８】
同図はカバー２が時計方向に回動して突起４７に当接した状態を示している。
【００３９】
解除レバー１７は図２に示すように給紙装置２１の左右両端部に１個ずつ設けられ、解除レバー１７およびカバー２の一方の端部が取り付け軸４５に回動自在に取り付けられている。
【００４０】
また、記録紙ガイド板１５は一例として２枚の板状体で構成され、それらの一方の端部が支持板１６を介してカバー２に回動自在に取り付けられている。この記録紙ガイド板１５を開き、ここに記録紙６１を載置する。
【００４１】
図５は記録紙給紙部４１の一例の外観斜視図である。同図は図４に示す記録紙給紙部４１を図４の右側から眺めた図である。図５を参照すると、記録紙給紙部４１と、カバー２と、突起４７とが示されている。同図はカバー２を閉じた状態を示している。同図に示すように、記録紙給紙部４１の後部側面の左右に突起４７が２個設けられている。
【００４２】
図６は記録紙給紙部４１の一例の他の外観斜視図である。同図はカバー２を開き、カバー２が突起４７に当接した状態を示している。
【００４３】
図４に戻り、記録紙保持板４２は押圧バネ４３により記録紙搬送ローラ４４のローラ面を所定の圧力で押圧する。記録紙誘導板４９は記録紙搬送ローラ４４に当接している。解除レバー１７の他端は記録紙保持板４２に当接している。
【００４４】
記録紙６１を記録紙トレイユニット３１にセットする場合は解除レバー１７を記録紙保持板４２方向に押圧する。すると記録紙保持板４２と記録紙搬送ローラ４４間に所定の隙間ができ、そこに記録紙６１の先端を挿入し、解除レバー１７を離す。これにより記録紙６１の先端が記録紙搬送ローラ４４と記録紙保持板４２とで挟持される。
【００４５】
記録紙６１は記録紙搬送ローラ４４の回転に伴い、記録紙搬送ローラ４４との摩擦力で記録紙誘導板４９を介して記録デバイス４８へ搬送され、ここで印字される。
【００４６】
次に、記録紙カセット５１を装着する構成について説明する。図７は給紙装置２１の一例の他の縦断面図である。なお、同図において、図４と同様の構成部分には同一番号を付し、その説明を省略する。
【００４７】
カバー２は手差しモードの場合、突起４７に当接しており、それ以上開くことはないが、記録紙カセットモードの場合はカバー２を時計方向にさらに回動させる。これは、本発明におけるカバー２は材料として加圧により容易に変形する樹脂材が用いられているため、突起４７を乗り越えてカバー２の端部を記録紙給紙部４１の側面に当接させることが可能である。
【００４８】
図６を参照して説明すると、図６はカバー２が突起４７に当接した状態（手差しモード）を示しているが、記録紙カセットモードの場合は、さらにカバー２を押圧して変形させ、カバー２が突起４７を乗り越えて記録紙給紙部４１の側面に当接するようにする。これにより、少なくとも記録紙カセット５１を装着するに十分な空間を記録紙給紙部４１に確保することが可能となる。
【００４９】
次に、記録紙給紙部４１のその空間に記録紙カセット５１を載置し、記録紙給紙部４１の取り付け軸４６を介して記録紙カセット５１を記録紙給紙部４１に取り付ける。これにより、記録紙カセット５１から記録紙６１が記録紙挿入口１８に挿入され、さらに手差しモードと同様の経路を辿って記録デバイス４８へ搬送され、ここで印字される。
【００５０】
次に、本発明に係る記録装置の具体的な動作について説明する。まず、手差しモード、すなわち印刷したいときだけ記録紙６１をセットする場合は、図２および図４に示すように、カバー２を記録紙給紙部４１に設けられた突起４７に突き当たるまで開き、記録紙ガイド板１５を広げる。解除レバー１７を押圧すると記録紙搬送ローラ４４に接触していた記録紙保持板４２が解除され、記録紙挿入口１８から記録紙６１を挿入し、解除レバー１７を離すと記録紙６１は記録紙搬送ローラ４４に接触し、記録紙搬送ローラ４４の駆動により記録紙６１は記録デバイス４８へ搬送され印字される。
【００５１】
一方、記録紙カセットモード、すなわち印刷の頻度が高く、常時複数枚の記録紙６１をセットしたい場合は、図３、図７に示すように、カバー２をさらに給紙装置２１後方に回動させ、解除レバー１７を時計方向に回動させ、記録紙カセット５１を記録紙給紙部４１に装着する。以下、記録紙６１の搬送経路は手差しモードの場合と同様である。
【００５２】
以上説明したように、本発明によれば、印刷の頻度が高く、常時複数枚の記録紙をセットしたい場合は、記録紙の保管性に優れた記録紙カセットを使用し、印刷したいときだけ記録紙をセットする場合は、記録装置に設けられた記録紙トレイユニットを使用することが可能となる。さらに、記録紙カセットを使用しない場合は、記録装置の小型化によるデザインの向上と、設置場所の制約を緩和することが可能となる。
【００５３】
次に、本発明の他の実施例について説明する。図８は本発明に係る記録装置の他の実施例を示す外観斜視図、図９は同記録装置の給紙装置２１の縦断面図である。なお、図８および図９において図１、図２および図４と同様の構成部分には同一番号を付し、その説明を省略する。
【００５４】
前述の実施例では記録紙トレイユニット３１をカバー２と、解除レバー１７と、記録紙ガイド板１５と、支持板１６とで構成しているが、図８および図９に示すようにベース２５を追加した構成も可能である。
【００５５】
図９を参照すると、ベース２５および解除レバー１７は取り付け軸２７を介して回動自在に記録紙給紙部４１に取り付けられる。また、カバー２は取り付け軸２６を介して回動自在にベース２５に取り付けられる。なお、同図では記録紙給紙部４１に記録紙カセット５１を取り付けるための取り付け軸４６（図７参照）が省略されているが、図７と同様に本記録紙給紙部４１にも取り付け軸４６が設けられる。
【００５６】
したがって、ベース２５を固定しておいてカバー２を時計方向に回動すると、カバー２の端部がベース２５に当接する。これが手差しモードの場合のカバー２の位置である。この状態でベース２５を時計方向に回動すると、カバー２の端部が記録紙給紙部４１の側面に当接する。これが記録紙カセットモードの場合のカバー２の位置である。
【００５７】
以上説明したように、本発明の他の実施例によれば、カバー２の回動ストッパーである突起４７の代わりにベース２５を用いることが可能となる。したがって、記録紙カセットモードの場合に、カバー２を変形させることなく時計方向に回動させることが可能となる。
【図面の簡単な説明】
【００５８】
【図１】本発明に係る記録装置の待機モードの一例を示す外観斜視図である。
【図２】本発明に係る記録装置の手差しモードの一例を示す外観斜視図である。
【図３】本発明に係る記録装置の記録紙カセットモードの一例を示す外観斜視図である。
【図４】給紙装置２１の一例の縦断面図である。
【図５】記録紙給紙部４１の一例の外観斜視図である。
【図６】記録紙給紙部４１の一例の他の外観斜視図である。
【図７】給紙装置２１の一例の他の縦断面図である。
【図８】本発明に係る記録装置の他の実施例を示す外観斜視図である。
【図９】同記録装置の給紙装置２１の縦断面図である。
【符号の説明】
【００５９】
１  記録装置
２  カバー
１１  装置本体
１２  プッシュボタン
１３  表示部
１４  送受話器
１５  記録紙ガイド板
１６  支持板
１７  解除レバー
１８  記録紙挿入口
２１  給紙装置
２５  ベース
３１  記録紙トレイユニット
４１  記録紙給紙部
４２  記録紙保持板
４３  押圧バネ
４４  記録紙搬送ローラ
４５  取り付け軸
４６  取り付け軸
４７  突起
４８  記録デバイス
４９  記録紙誘導板
５１  記録紙カセット
６１  記録紙
【図１】
2008007232.tif 000003
【図２】
2008007232.tif 000004
【図３】
2008007232.tif 000005
【図４】
2008007232.tif 000006
【図５】
2008007232.tif 000007
【図６】
2008007232.tif 000008
【図７】
2008007232.tif 000009
【図８】
2008007232.tif 000010
【図９】
2008007232.tif 000011